(57)【特許請求の範囲】
【請求項１】
着用時に着用者の腹側に配される腹側部と着用者の背側に配される背側部とその間に位置する股下部とを有し、該腹側部から該股下部を介して該背側部に延びる縦方向と該縦方向に直交する横方向とを有し、該腹側部の両側部と該背側部の両側部とが接合されていることによって、一対のサイドシール部、ウエスト開口部及び一対のレッグ開口部が形成されているパンツ型吸収性物品であって、
前記サイドシール部に沿って前記吸収性物品を切り開き最大に伸長させた展開状態にしたとき、
前記レッグ開口部を画成する輪郭線が、前記展開状態の前記吸収性物品の縦方向に延びる中心線に向けて凸形状をしており、
前記輪郭線どうしの横方向における距離の最短部が、前記展開状態の前記吸収性物品の横方向に延びる中心線よりも前記背側部側に位置しており、
前記背側部側に位置する前記輪郭線の少なくとも一部が、前記展開状態の前記吸収性物品の横方向に延びる中心線に向けて凸形状をしている、パンツ型吸収性物品。
【請求項２】
前記最短部と、前記展開状態の前記吸収性物品の横方向に延びる中心線との距離が、前記展開状態の前記吸収性物品の縦方向最大長さに対して１％以上１０％以下である、請求項１に記載のパンツ型吸収性物品。
【請求項３】
前記展開状態の前記吸収性物品の横方向に延びる中心線を基準として、前記輪郭線のうち、前記背側部側に位置する部位の長さよりも、前記腹側部側に位置する部位の長さの方が長い、請求項１又は２に記載のパンツ型吸収性物品。
【請求項４】
液保持性の吸収体を有する吸収性本体と、該吸収性本体の非肌対向面側に配され且つ前記吸収性物品の外形を画成する外装体とを備え、
前記外装体は、横方向に伸縮性を有する部材で形成されており、
前記外装体のうち前記最短部が存在する位置での該外装体の横方向の伸長率をＳ１とし、
前記外装体のうち前記凸形状をしている一対の前記輪郭線間の領域での該外装体の伸長率をＳ２としたとき、
Ｓ１がＳ２よりも大きい、請求項１ないし３のいずれか一項に記載のパンツ型吸収性物品。
【請求項５】
液保持性の吸収体を有する吸収性本体と、該吸収性本体の非肌対向面側に配された外装体とを備え、
着用時に着用者の腹側に配される腹側部と着用者の背側に配される背側部とその間に位置する股下部とを有し、該腹側部から該股下部を介して該背側部に延びる縦方向と該縦方向に直交する横方向とを有し、該腹側部の両側部と該背側部の両側部とが接合されていることによって、一対のサイドシール部、ウエスト開口部及び一対のレッグ開口部が形成されているパンツ型吸収性物品であって、
前記外装体はその全域が横方向に伸縮性を有する部材で形成されており、
前記サイドシール部に沿って前記吸収性物品を切り開き前記外装体を弛緩させたまま展開状態にしたとき、
前記レッグ開口部を画成する輪郭線が、前記展開状態の前記吸収性物品の縦方向に延びる中心線に向けて凸形状をしており、
前記輪郭線どうしの横方向の最短部が、前記展開状態の前記吸収性物品の横方向に延びる中心線よりも前記背側部側に位置しており、
前記背側部側に位置する前記輪郭線の少なくとも一部が、前記展開状態の前記吸収性物品の横方向に延びる中心線に向けて凸形状をしている、パンツ型吸収性物品。
【請求項６】
前記外装体は、前記吸収性物品の外形を画成しており、
前記外装体のうち前記最短部が存在する位置での該外装体の横方向の伸長率をＳ１とし、
前記外装体のうち前記凸形状をしている一対の前記輪郭線間の領域での該外装体の伸長率をＳ２としたとき、
Ｓ１がＳ２よりも大きい、請求項５に記載のパンツ型吸収性物品。
【発明の詳細な説明】
【技術分野】
【０００１】
本発明は、パンツ型使い捨ておむつ等のパンツ型吸収性物品に関する。
【背景技術】
【０００２】
着用中にパンツ型使い捨ておむつが適正な位置からずれて漏れが起こることを防止するために、外装体の構成の改良が種々検討されている。例えば特許文献１には、おむつの位置ずれを防止する目的で、弾性部材を外装体の所定の位置に配し、且つおむつのウエスト部の引張荷重を所定の範囲内としたパンツ型使い捨ておむつが開示されている。特許文献２には、装着性及び身体保持性の低下を防止する目的で、外装体における背側部側に、横方向に延びるタックを複数本形成したパンツ型使い捨ておむつが開示されている。
【先行技術文献】
【特許文献】
【０００３】
【特許文献１】特開２００４−２３６８３２号公報
【特許文献２】特開２０１２−２３９５５５号公報
【発明の概要】
【発明が解決しようとする課題】
【０００４】
一般に、人の体形は大腿部において背側の肉量が多く、また、臀部が出張った形状をしている。従来のおむつは、このような着用者の人体形状や、動作に伴う皮膚の伸びを考慮して、外装体における背側部のおむつ縦方向の長さを腹側部のおむつ縦方向の長さよりも長くして、臀部をカバーするように設計されている。その結果、レッグ開口部が腹側部寄りに配置される。特許文献１及び２に記載のパンツ型使い捨ておむつも、レッグ開口部が腹側部寄りに配置されている。このように設計されたおむつは、着用の際にウエスト開口部における腹側部の開口端が背側部の開口端に比べて下方にずれて、腹側部と背側部とで開口端の位置が異なる傾向がある。腹側部の開口端の位置と背側部の開口端の位置とが異なると、吸収体を適正な位置に配置させることができず、漏れが生じる恐れがあった。
【０００５】
従って本発明の課題は、物品着用の際にウエスト開口部における腹側部の開口端と背側部の開口端との位置がずれ難く、従来のおむつと同様の着用方法によって、適切な着用状態を実現でき、漏れが生じ難いパンツ型吸収性物品を提供することに関する。
【課題を解決するための手段】
【０００６】
本発明は、着用時に着用者の腹側に配される腹側部と着用者の背側に配される背側部とその間に位置する股下部とを有し、該腹側部から該股下部を介して該背側部に延びる縦方向と該縦方向に直交する横方向とを有し、該腹側部の両側部と該背側部の両側部とが接合されていることによって、一対のサイドシール部、ウエスト開口部及び一対のレッグ開口部が形成されているパンツ型吸収性物品であって、
前記サイドシール部に沿って前記吸収性物品を切り開き最大に伸長させた展開状態にしたとき、
前記レッグ開口部を画成する輪郭線が、前記展開状態の前記吸収性物品の縦方向に延びる中心線に向けて凸形状をしており、
前記輪郭線どうしの横方向における距離の最短部が、前記展開状態の前記吸収性物品の横方向に延びる中心線よりも前記背側部側に位置しており、
前記背側部側に位置する前記輪郭線の少なくとも一部が、前記展開状態の前記吸収性物品の横方向に延びる中心線に向けて凸形状をしている、パンツ型吸収性物品を提供するものである。
【０００７】
また本発明は、液保持性の吸収体を有する吸収性本体と、該吸収性本体の非肌対向面側に配された外装体とを備え、
着用時に着用者の腹側に配される腹側部と着用者の背側に配される背側部とその間に位置する股下部とを有し、該腹側部から該股下部を介して該背側部に延びる縦方向と該縦方向に直交する横方向とを有し、該腹側部の両側部と該背側部の両側部とが接合されていることによって、一対のサイドシール部、ウエスト開口部及び一対のレッグ開口部が形成されているパンツ型吸収性物品であって、
前記外装体はその全域が横方向に伸縮性を有する部材で形成されており、
前記サイドシール部に沿って前記吸収性物品を切り開き前記外装体を弛緩させたまま展開状態にしたとき、
前記レッグ開口部を画成する輪郭線が、前記展開状態の前記吸収性物品の縦方向に延びる中心線に向けて凸形状をしており、
前記輪郭線どうしの横方向の最短部が、前記展開状態の前記吸収性物品の横方向に延びる中心線よりも前記背側部側に位置しており、
前記背側部側に位置する前記輪郭線の少なくとも一部が、前記展開状態の前記吸収性物品の横方向に延びる中心線に向けて凸形状をしている、パンツ型吸収性物品を提供するものである。
【発明の効果】
【０００８】
本発明のパンツ型吸収性物品によれば、物品着用の際にウエスト開口部における腹側部の開口端と背側部の開口端との位置がずれ難く、漏れが生じ難い。
【図面の簡単な説明】
【０００９】
【図１】図１は、本発明のパンツ型吸収性物品の一実施形態を模式的に示す斜視図である。
【図２】図２は、図１に示すおむつを展開し且つ最大に伸長させた伸長状態における肌対向面側（内面側）を模式的に示す展開平面図である。
【図３】図３は、本発明のパンツ型吸収性物品における別実施形態の弛緩状態を模式的に示す平面図である。
【図４】図４は最大に伸長させた伸長状態における外装体を模式的に示す平面図であり、図４（ａ）〜（ｃ）は実施例１〜３で用いた外装体を最大に伸長させた状態での平面図であり、図４（ｄ）は比較例１で用いた外装体を最大に伸長させた状態での平面図である。
【図５】図５は、下半身人体モデルに着用させた状態での実施例の使い捨ておむつの側面図である。
【発明を実施するための形態】
【００１０】
以下本発明を、その好ましい実施形態に基づき図面を参照しながら説明する。図１及び図２には、本発明の一実施形態であるパンツ型使い捨ておむつ１Ａが示されている。図１及び図２に示すように、おむつ１Ａは、その着用時に着用者の腹側に配される腹側部Ｆと、着用者の背側に配される背側部Ｒと、それらの間に位置する股下部Ｍと有する。腹側部Ｆ及び背側部Ｒは、おむつ１Ａの着用時に着用者の胴周りに配される胴周り部である。おむつ１Ａは、着用者の前後方向、すなわち腹側部Ｆから股下部Ｍを介して背側部Ｒに延びる方向に相当する縦方向Ｘと、これに直交する横方向Ｙとを有している。おむつ１Ａは、吸収性本体２と、吸収性本体２の非肌対向面側に配された外装体３とを備えている。
【００１１】
本明細書において、「肌対向面」は、使い捨ておむつ又はその構成部材（例えば吸収性本体）に着目したときに、おむつの着用時に着用者の肌側に向けられる面、すなわち相対的に着用者の肌に近い側であり、「非肌対向面」は、使い捨ておむつ又はその構成部材における、使い捨ておむつの着用時に肌側とは反対側に向けられる面、すなわち相対的に着用者の肌から遠い側である。
【００１２】
おむつ１Ａは、外装体３における腹側部Ｆの両側部と背側部Ｒの両側部とが、接着剤、ヒートシール、超音波シール等の接合手段によって互いに接合されている。そしておむつ１Ａは、図１に示すように、一対のサイドシール部Ｓ，Ｓ、並びに着用者の胴が通されるウエスト開口部ＷＨ、及び着用者の下肢が通される一対のレッグ開口部ＬＨ，ＬＨが形成されたパンツ型となっている。
【００１３】
図２に示すように、サイドシール部Ｓに沿っておむつ１Ａを切り開き最大に伸長させた展開状態において、吸収性本体２は縦方向Ｘに長い略長方形形状である。吸収性本体２は外装体３における腹側部Ｆから背側部Ｒまでの領域に配されている。おむつ１Ａを「最大に伸長させた展開状態」とは、おむつ１Ａをサイドシール部Ｓで切り離して展開状態とし、その展開状態のおむつ１Ａを各部の弾性部材を最大に伸長させて設計寸法（弾性部材の影響を一切排除した状態で平面状に拡げたときの寸法と同じ）となるまで拡げた状態をいう。吸収性本体２は、外装体３における横方向Ｙの中央部に配置されている。吸収性本体２は、接着剤等の接合手段によって外装体３に接合されている。
【００１４】
吸収性本体２は、図２に示すように、肌対向面を形成する液透過性の表面シート２１、非肌対向面を形成する液不透過性又は液難透過性の裏面シート（図示せず）、及び両シート２１，２２間に介在配置された液保持性の吸収体２３を具備しており、これらが接着剤等の公知の接合手段により一体化されて構成されている。
【００１５】
図２に示すように、吸収性本体２は、肌対向面における縦方向Ｘに沿う両側部に、一対の防漏カフ２４，２４を有している。各防漏カフ２４の自由端部の近傍には糸状の防漏カフ形成用の弾性部材２５が縦方向Ｘに沿って伸長状態で１本以上配されている。防漏カフ２４は、伸長状態で配された弾性部材２５がおむつ１Ａの着用時に収縮することによって少なくとも股下部Ｍで起立するようになっている。それによって尿等の排泄物が横方向Ｙ外方へ流出することが阻止される。
【００１６】
表面シート２１、裏面シート（図示せず）、吸収体２３及び弾性部材２５としては、使い捨ておむつ等の吸収性物品に従来用いられているものと同様のものを特に制限なく用いることができる。例えば、表面シート２１としては、単層又は多層構造の不織布や、開孔フィルム等を用いることができる。裏面シート（図示せず）としては、透湿性の樹脂フィルム等を用いることができる。吸収体２３としては、吸収性ポリマーの粒子及び繊維材料から構成された吸収性材料からなる吸収性コアがティッシュペーパーによって被覆されているものを用いることができる。防漏カフ２４を形成するシートとしては、液抵抗性又は撥水性で且つ通気性のものを用いることができる。弾性部材２５としては、糸ゴム等を用いることができる。
【００１７】
外装体３は、吸収性本体２の非肌対向面側に配される部材である。図２に示す最大に伸長させた展開状態のおむつ１Ａにおいて、外装体３は吸収性本体２の周縁から外方に延出している。すなわち、外装体３は、最大に伸長させた展開状態のおむつ１Ａの外形を画成している。外装体３は、おむつ１Ａの外面を形成する外層シート３１と、該外層シート３１の肌対向面側に配される内層シート３２と、これら２枚のシート間に伸長状態で固定された各部の弾性部材とからなる。外層シート３１及び内層シート３２は、同一形状で且つ同じ大きさである。これらのシート３１，３２の間には、ウエスト開口部ＷＨの周縁部にウエストギャザーを形成するウエスト部弾性部材３３，レッグ開口部ＬＨの周縁部にレッグギャザーを形成するレッグ部弾性部材３４，及び胴回り部に胴回りギャザーを形成する胴回り弾性部材３５が配されている。弾性部材３３，３４，３５は、それぞれ伸長状態で、ホットメルト型接着剤等の任意の接合手段により外層シート３１及び内層シート３２の少なくとも一方に接合されている。
【００１８】
外層シート３１及び内層シート３２は、互いに同種のシートでもよく、あるいは異種のシートでもよい。シート３１，３２は、典型的には伸縮性を有していないが、伸縮性を有していてもよい。伸縮性を有していないシートとしては、例えば、各種製法による不織布が挙げられる。具体的にはスパンボンド不織布、メルトブローン不織布、エアスルー不織布、ニードルパンチ不織布を例示できる。弾性部材３３ないし３５としては、先に述べた弾性部材２５と同様のものを用いることができる。
【００１９】
図２に示すように、おむつ１Ａを最大に伸長させた展開状態としたとき、おむつ１Ａの輪郭における縦方向Ｘに沿う側縁は、股下部Ｍが腹側部Ｆ及び背側部Ｒよりも中心線Ｌ１に向かって凸状に湾曲した形状となっている。中心線Ｌ１とは、縦方向Ｘに沿って延び且つおむつ１Ａを横方向Ｙに二等分する仮想線のことである。おむつ１Ａの側縁は、股下部Ｍに湾曲線４を有している。湾曲線４は、レッグ開口部ＬＨを画成する輪郭線であり、中心線Ｌ１に向かって凸状に湾曲した形状となっている。おむつ１Ａにおいては、外装体３の股下部Ｍにおける側縁が吸収性本体２における縦方向Ｘに沿う側縁よりも横方向Ｙ外方に位置している。その結果、おむつ１Ａの湾曲線４は外装体３の側縁のみで形成されている。
【００２０】
図２に示す状態のおむつ１Ａを横方向Ｙに沿って見たとき、おむつ１Ａは、一対の湾曲線４，４間における距離のうち最も距離が短い部位である最短部５を有している。本実施形態においては最短部５は外装体３に存在している。最短部５は、中心線Ｌ２よりも背側部Ｒ側に位置している。中心線Ｌ２とは、横方向Ｙに沿って延び且つおむつ１Ａを縦方向Ｘに二等分する仮想線のことである。「一対の湾曲線４，４間における距離」とは、一対の湾曲線４，４と、中心線Ｌ２に平行に延びる仮想線とが交差する交点間の長さある。最短部５が中心線Ｌ２よりも背側部Ｒ側に位置している本実施形態のおむつ１Ａによれば、おむつ１Ａの着用の際に、着用者の両脚が最短部５の位置を基準にレッグ開口部ＬＨ内に収まるので、着用の際におむつ１Ａの腹側部Ｆが中心線Ｌ２側にずれ難くなる。そのことに起因して、吸収体２３を着用者の身体における適正な位置に位置させることができ、漏れが生じ難くなる。
【００２１】
最短部５が中心線Ｌ２よりも背側部Ｒ側に位置しているとは、（１）図２に示すおむつ１Ａのように、最大に伸長させた状態の外装体３の側縁のみで湾曲線４が形成されており、凸形状の湾曲線４が最狭点Ｐ１を一か所のみを有し、且つ最短部５が該最狭点Ｐ１どうしを結ぶ１本の線として描けるときには、該線の位置が中心線Ｌ２よりも背側部Ｒ側に位置していることを意味する。（２）最短部５が１本の線として描けず、例えば凸形状の湾曲線４における中心線Ｌ１に最も近い部位が中心線Ｌ１に平行に延びる形状となっており、該部位どうしを結ぶ最短部５が縦方向Ｘに沿って一定の長さを有しているとき（例えば後述する図３に示すおむつ１Ｂのように、湾曲線４が外装体３の側縁の一部と吸収性本体２における縦方向Ｘに沿う側縁の一部とで形成されているとき。）には、該最短部５における縦方向Ｘに沿う長さの中心の位置が中心線Ｌ２よりも背側部Ｒ側に位置していることを意味する。（３）最短部５が１本の線として描けたとしても、例えば凸形状の湾曲線４が複数の最狭点を有し、最短部５が該最狭点どうしを結ぶ線として複数本描けるときには、最も腹側部Ｆ側の線と最も背側部Ｒ側の線との間隔を二等分する位置が中心線Ｌ２よりも背側部Ｒ側に位置していることを意味する。
【００２２】
外装体３としては、（ｉ）本実施形態のおむつ１Ａのように、弾性伸縮要素（２枚のシート間に横方向Ｙに伸長状態の弾性部材を配置して固定したものや、これ以外に、少なくとも横方向Ｙに伸縮性を有する伸縮性シート等）がおむつの一部のみに使用されているもの、あるいは、（ｉｉ）後述するおむつ１Ｂのように、前記の弾性伸縮要素が、腹側部Ｆから背側部Ｒの全域に使用されているものが挙げられる。
【００２３】
最短部５が中心線Ｌ２よりも背側部Ｒに位置していることについての前記（１）、（２）及び（３）に関し例を挙げて説明する。前記の（１）、すなわち最短部５が１本の線として描けるものとしては、（１ａ）外装体３が前記の（ｉ）で構成された形態、（１ｂ）外装体３が前記の（ｉｉ）で構成されており、湾曲線４が最大に伸長させた状態の外装体の側縁のみで形成された形態において前記（１）のように湾曲線が形成されたものなどが例示できる。最大に伸長させた状態とは、伸縮性シートを最大に伸長させて設計寸法となるまで拡げた状態を意味する。
【００２４】
前記の（２）、すなわち最短部５が１本の線としては描けず、最短部５が縦方向Ｘに沿って一定の長さを有するものとしては、（２ａ）外装体３が前記の（ｉ）で構成されており、湾曲線４における中心線Ｌ１に平行に延びる部位が、最大に伸長させた状態の外装体の側縁のみによって形成された形態などが例示できる。また、（２ｂ）外装体３が前記の（ｉ）で構成されており、最大に伸長させた状態の外装体の最狭点よりも横方向Ｙに広く、且つ縦方向Ｘに長い矩形状の吸収性本体が配されたおむつにおいて、前記湾曲線４における中心線Ｌ１に平行に延びる部位が吸収性本体の側縁によって形成された形態などが例示できる。また、（２ｃ）外装体が前記の（ｉ）で構成され、着用者の背側に配される背側外装体と腹側に配される腹側外装体とに分割された構成となっており、背側外装体と腹側外装体との間に吸収性本体が架け渡されて固定されるおむつにおいて、前記湾曲線４のうち、中心線Ｌ１と平行に延びる部位が、吸収性本体の側縁によって形成された形態などが例示できる。また、（２ｄ）外装体３が前記の（ｉｉ）で構成されており、前記湾曲線４のうち、中心線Ｌ１と平行に延びる部位が、最大に伸長させた状態の外装体の側縁のみによって形成された形態などが例示できる。また、（２ｅ）外装体３が前記の（ｉｉ）で構成されており、最大に伸長させた状態の外装体の最狭点よりも横方向Ｙに広く且つ縦方向Ｘに長い矩形状の吸収性本体が配されたおむつにおいて、前記湾曲線４のうち、中心線Ｌ１と平行に延びる部位が、吸収性本体の側縁によって形成された形態などが例示できる。
【００２５】
前記の（３）、すなわち１本の線として描ける最短部５を複数有するものとしては、（３ａ）外装体３が前記の（ｉ）で構成されており、複数の最狭点を有する湾曲線４が最大に伸長させた状態の外装体の側縁に形成された形態、（３ｂ）外装体３が前記の（ｉｉ）で構成されており、複数の最狭点を有する湾曲線４が最大に伸長させた状態の外装体の側縁に形成された形態などが例示できる。
【００２６】
図２に示す状態のおむつ１Ａにおいて、湾曲線４のうち、中心線Ｌ２よりも背側部Ｒ側に位置する部位は、少なくとも一部に中心線Ｌ２に向けて凸形状となった凸状部位４１を有している。背側部Ｒ側に凸状部位４１を有する本実施形態のおむつ１Ａによれば、おむつ着用中に着用者の臀部を凸状部位４１で覆うことができる。おむつ１Ａは、上述したとおり、最短部５が中心線Ｌ２よりも背側部Ｒ側に位置しており、且つ湾曲線４のうち背側部Ｒ側に凸状部位４１を有している。その結果、本実施形態のおむつ１Ａは、着用の際に、ウエスト開口部ＷＨにおける腹側部Ｆ側の開口端と背側部Ｒ側の開口端との位置がずれ難くなる。このようにずれることが抑制されることに起因して、おむつ１Ａの着用の際に、吸収性本体２が着用者の身体における適正な位置からずれ難く、吸収体２３を着用者の身体における適正な位置に配置することができる。それによって、おむつからの排泄物の漏れが生じ難くなる。
【００２７】
凸状部位４１が中心線Ｌ２に向けて凸形状をしているとは、（１）図２に示す実施形態のおむつ１Ａのように、湾曲線４が外装体３の側縁のみで形成されており、凸形状の湾曲線４が最狭点Ｐ１を一か所のみを有するときには、一方のレッグ開口部ＬＨにおいて、該最狭点Ｐ１と、湾曲線４が背側部Ｒ側において終端する背側終端部Ｓ１とを結ぶ仮想線Ｌ３よりも、凸状部位４１が中心線Ｌ２側に突出している形状であることを意味する。（２）湾曲線４がただ一つの最狭点を有さず、例えば凸形状の湾曲線４における中心線Ｌ１に最も近い部位が中心線Ｌ１に平行に延びる形状となっているときには、該部分の最も背側部Ｒ側の位置と、湾曲線４が背側部Ｒ側において終端する背側終端部Ｓ１とを結ぶ仮想線よりも、凸状部位４１が中心線Ｌ２側に突出している形状であることを意味する。（３）湾曲線４が最狭点を有していたとしても、例えば凸形状の湾曲線４が複数の最狭点を有するときには、該複数の最狭点のうち最も背側部Ｒ側の最狭点と、湾曲線４が背側部Ｒ側において終端する背側終端部Ｓ１とを結ぶ仮想線よりも、凸状部位４１が中心線Ｌ２側に突出している形状であることを意味する。
【００２８】
おむつ１Ａにおいては、図２に示すように、背側部Ｒ側の凸状部位４１は、仮想線Ｌ３から中心線Ｌ２側に向かって突出した滑らかな曲線を描く形状となっている。凸状部位４１は湾曲線４の背側終端部Ｓ１から中心線Ｌ２側に突出している形状であることが好ましい。
一方、おむつ１Ａにおいては、湾曲線４のうち、最狭点Ｐ１よりも腹側部Ｆ側に位置する部位は、中心線Ｌ２に向けて凸形状となる部位を有していない。具体的には、最狭点Ｐ１よりも腹側部Ｆ側に位置する部位は、湾曲線４が腹側部Ｆ側において終端する腹側終端部Ｆ１を始点とし、中心線Ｌ２と平行に延びている直線部位４２と、該直線部位４２の内方寄り終点と最狭点Ｐ１とを結ぶ斜行部位４３とを有している。斜行部位４３は、腹側部Ｆ側から背側部Ｒ側に向かって中心線Ｌ１との間隔が漸次短くなるように中心線Ｌ１に対して斜行しながら延びている。
湾曲線４のうち、凸状部位４１を構成する部位と仮想線Ｌ３との交点をＫとした場合、湾曲線４のうち、交点Ｋと最狭点Ｐ１との間の部位は、仮想線Ｌ３から中心線Ｌ１側に向かって突出した滑らかな曲線を描いており、中心線Ｌ２に向けて凹形状となっている。なお湾曲線４のうち、最狭点Ｐ１よりも腹側部Ｆ側に位置する部位は、中心線Ｌ２に向けて凹形状となる部位を有していてもよい。
【００２９】
おむつ１Ａの着用状態において、凸状部位４１によって臀部を確実に覆う観点から、凸状部位４１が仮想線Ｌ３よりも突出している部分の面積は、おむつ１Ａが幼児用のものであるときには、７００ｍｍ２以上であることが好ましく、８００ｍｍ２以上であることが更に好ましく、また１２００ｍｍ２以下であることが好ましく、１１００ｍｍ２以下であることが更に好ましい。おむつ１Ａが成人用のものであるときには、前記面積は、３０００ｍｍ２以上であることが好ましく、３５００ｍｍ２以上であることが更に好ましく、また４５００ｍｍ２以下であることが好ましく、４０００ｍｍ２以下であることが更に好ましい。
【００３０】
上述した漏れ防止の効果を一層顕著なものとする観点から、おむつ１Ａにおいては、一対の湾曲線４，４間における距離のうち最も距離が短い最短部５と横方向Ｙに延びる中心線Ｌ２との距離Ｄ１が、おむつ１Ａの縦方向Ｘに沿う最大長さＤ２に対して、下記の範囲であることが好ましい。
おむつ１Ａが幼児用及び成人用のいずれのものであるとしても、最大長さＤ２に対する距離Ｄ１の割合である（Ｄ１／Ｄ２）×１００の値は、１％以上であることが好ましく、３％以上であることが更に好ましく、また１０％以下であることが好ましく、８％以下であることが更に好ましい。同様に、前記割合である（Ｄ１／Ｄ２）×１００の値は、１％以上１０％以下であることが好ましく、３％以上８％以下であることが更に好ましい。
おむつ１Ａが幼児用のものであるときには、前記と同様の観点から、距離Ｄ１は、４ｍｍ以上であることが好ましく、１５ｍｍ以上であることが更に好ましく、また６０ｍｍ以下であることが好ましく、５０ｍｍ以下であることが更に好ましい。距離Ｄ１は、４ｍｍ以上６０ｍｍ以下であることが好ましく、１５ｍｍ以上５０ｍｍ以下であることが更に好ましい。
おむつ１Ａが成人用のものであるときには、前記と同様の観点から、距離Ｄ１は、５ｍｍ以上であることが好ましく、１５ｍｍ以上であることが更に好ましく、また８０ｍｍ以下であることが好ましく、６０ｍｍ以下であることが更に好ましい。距離Ｄ１は、５ｍｍ以上８０ｍｍ以下であることが好ましく、１５ｍｍ以上６０ｍｍ以下であることが更に好ましい。
【００３１】
おむつ１Ａにおいては、図２に示すとおり、中心線Ｌ２を基準として、湾曲線４のうち、背側部Ｒ側に位置する背側部位４Ｒの長さＤ３よりも、腹側部Ｆ側に位置する腹側部位４Ｆの長さＤ４の方が長いことが好ましい。こうすることで、腹側部位４Ｆが着用者の鼠径部に沿ってフィットし、且つ背側部位４Ｒが臀部の形状にフィットする結果、着用中におけるレッグ開口部ＬＨの位置のずれが抑制され、おむつ１Ａがその着用の際にずれることが抑制されるからである。背側部位４Ｒの長さＤ３とは、一方のレッグ開口部ＬＨを画成する湾曲線４に沿う全長のうち、中心線Ｌ２よりも背側部Ｒ側部分の長さを意味する。腹側部位４Ｆの長さＤ４とは、該全長のうち、中心線Ｌ２よりも腹側部Ｆ側部分の長さを意味する。
おむつ１Ａが幼児用及び成人用のいずれのものであるとしても、背側部位４Ｒの長さＤ３に対する腹側部位４Ｆの長さＤ４の割合である（Ｄ４／Ｄ３）×１００の値は、１０１％以上であることが好ましく、１１０％以上であることが更に好ましく、また１３０％以下であることが好ましく、１２０％以下であることが更に好ましい。そして前記割合である（Ｄ４／Ｄ３）×１００の値は、１０１％以上１３０％以下であることが好ましく、１１０％以上１２０％以下であることが更に好ましい。
【００３２】
湾曲線４のうち、凸状部位４１を構成する部位と仮想線Ｌ３との交点をＫとしたとき、最狭点Ｐ１と交点Ｋとを結ぶ線分の長さをｔ１とし、背側終端部Ｓ１と交点Ｋとを結ぶ線分の長さをｔ２とし、仮想線Ｌ３と凸状部位４１との最大の間隔をｔ３としたとき、ｔ１、ｔ２及びｔ３は以下の関係を有していることが、おむつの着用状態において凸状部位４１によって臀部を確実に覆う観点から好ましい。
おむつ１Ａが幼児用及び成人用のいずれのものであるとしても、ｔ１は、短ければ短い程好ましく、０であることが好ましい。ｔ２に対するｔ１の割合である（ｔ１／ｔ２）×１００の値は、１０％以下であることが好ましく、５％以下であることが更に好ましい。ｔ２に対するｔ３の割合である（ｔ３／ｔ２）×１００の値は、１０％以上であることが好ましく、１５％以上であることが更に好ましく、また３０％以下であることが好ましく、２５％以下であることが更に好ましい。
【００３３】
次に、本発明のパンツ型吸収性物品における別実施形態のパンツ型使い捨ておむつ１Ｂについて、図３を参照しながら説明する。別実施形態に係るおむつについては、上述した実施形態に係るおむつと異なる点について説明する。特に説明しない点については、上述した実施形態に係るおむつと同様であり、該おむつの説明が適宜適用される。
【００３４】
別実施形態のおむつ１Ｂに係る外装体３は、外装体３の腹側部Ｆから背側部Ｒまでの全域が横方向Ｙに伸縮性を有する部材で形成されている。吸収性本体２との接合前の状態において、外装体３はその全域が横方向Ｙに伸縮可能になっている。「伸縮性」とは、所定方向に伸長可能であり且つ伸長を解除すると収縮する性質を意味する。伸縮性を有する外装体３に使用可能な伸縮性シートとしては、各種公知のものを用いることができる。例えば、特開２００８−１７９１２８号公報に記載の伸縮性シート、特開２００７−２２０６６号公報に記載の伸縮性シート、特開２００７−２２０６６号公報に記載の伸縮性不織布の製造方法により製造される伸縮性不織布、特許３０５４９３０号公報等を用いることができる。
【００３５】
図３に示すおむつ１Ｂは、サイドシール部Ｓに沿って切り開き外装体３を弛緩させたまま展開状態にしたものである。弛緩させたままの状態とは、おむつ１Ｂをサイドシール部Ｓで切り離して展開し、外装体３を形成する伸縮性シート及び弾性部材等に外力を加えずに、これらを伸長させない自然状態であることを意味する。おむつ１Ｂは、弛緩させたままの状態において、図３に示すように、レッグ開口部ＬＨを画成する湾曲線４が、縦方向Ｘに延びる中心線Ｌ１に向かって凸の円弧状に湾曲した凸形状となっている。おむつ１Ｂにおいては、外装体３の股下部Ｍにおける側縁の一部が吸収性本体２における縦方向Ｘに沿う側縁よりも横方向Ｙ内方に位置している。その結果、湾曲線４は、外装体３の側縁の一部と、吸収性本体２における縦方向Ｘに沿う側縁の一部とで形成されている。
【００３６】
図３に示す弛緩状態のおむつ１Ｂにおいては、凸形状の湾曲線４における中心線Ｌ１に最も近い部位が、吸収性本体２における縦方向Ｘに沿う側縁で形成されており、該部位は中心線Ｌ１に平行に延びる形状となっている。該部位どうしを結ぶ最短部５は縦方向Ｘに沿って一定の長さを有しており、最短部５の縦方向Ｘ中心の位置Ｐ２が中心線Ｌ２よりも背側部Ｒ側に位置している。その結果、おむつ１Ｂにおける最短部５は、横方向Ｙに延びる中心線Ｌ２よりも背側部Ｒ側に位置していることになる。このようなおむつ１Ｂによれば、着用の際に、着用者の両脚が最短部５の位置を基準にレッグ開口部ＬＨ内に収まるので、脚に対しておむつ１Ｂの腹側部Ｆが、中心線Ｌ２側にずれ難くなる。
【００３７】
図３に示す弛緩状態のおむつ１Ｂにおいては、凸形状の湾曲線４における中心線Ｌ１に最も近い部位が中心線Ｌ１に平行に延びる形状となっている。そして該部位における最も背側部Ｒ側の位置Ｐ３と、湾曲線４が背側部Ｒ側において終端する背側終端部Ｓ１とを結ぶ仮想線Ｌ４よりも、湾曲線４の一部が中心線Ｌ２側に突出して凸状部位４１を形成している。その結果、本実施形態のおむつ１Ｂによれば、おむつ着用中に着用者の臀部を凸状部位４１で覆うことができるとともに、着用の際に、おむつ１Ｂの背側部Ｒが中心線Ｌ２側にずれ難くなる。おむつ１Ｂは、おむつ１Ａと同様に、最短部５が中心線Ｌ２よりも背側部Ｒ側に位置しており、且つ背側部Ｒ側に凸状部位４１を有している。その結果、本実施形態のおむつ１Ｂは、着用の際に、ウエスト開口部ＷＨにおける腹側部Ｆ側の開口端と背側部Ｒ側の開口端との位置がずれ難くなる。このようにずれることが抑制されることに起因して、おむつ１Ｂの着用の際に、吸収性本体２が着用者の身体における適正な位置からずれ難く、吸収体２３を着用者の身体における適正な位置に配置することができる。それによって、おむつからの排泄物の漏れが生じ難くなる。
【００３８】
上述した（１）最短部５が１本の線として描ける形態、（２）最短部５が１本の線として描けず、最短部５が縦方向Ｘに沿って一定の長さを有している形態、及び（３）１本の線として描ける最短部５が複数本描けるように湾曲線４が形成される形態について、弛緩状態のおむつを例に挙げて説明する。
外装体３としては、全域が横方向Ｙに伸縮性を有する部材で形成されているものが挙げられ、例えば弾性伸縮要素（２枚のシート間に横方向Ｙに伸長状態の弾性部材を配置して固定したものや、これ以外に、少なくとも横方向Ｙに伸縮性を有する伸縮性シート等）がおむつの全域に使用されているものが挙げられる。
【００３９】
前記の（１）としては、（１ｃ）外装体３が前記の弾性伸縮要素を全域に使用したもので構成されており、弛緩させた状態の外装体の側縁のみで湾曲線４が形成された形態において、前記（１）のように湾曲線が形成されたものなどが例示できる。
【００４０】
前記の（２）としては、（２ｆ）外装体３が前記の弾性伸縮要素を全域に使用したもので構成されているおむつ１Ｂの形態、すなわち、弛緩させた状態の外装体３の股下部Ｍにおける側縁の一部が吸収性本体２における縦方向Ｘに沿う側縁よりも横方向Ｙ内方に位置しており、その結果、湾曲線４が、外装体３の側縁の一部と、吸収性本体２の側縁の一部とで形成されており、湾曲線４における中心線Ｌ１に平行に延びる部位が吸収性本体２の側縁によって形成された形態などが例示できる。また、（２ｇ）外装体３が前記の弾性伸縮要素を全域に使用したもので構成されており、弛緩させた状態の外装体３の股下部Ｍにおける側縁が吸収性本体２における縦方向Ｘに沿う側縁よりも横方向Ｙ外方に位置しており、且つ湾曲線４における中心線Ｌ１に平行に延びる部位が、弛緩させた状態の外装体の側縁のみによって形成された形態などが例示できる。
【００４１】
前記の（３）としては、（３ｃ）外装体３が前記の弾性伸縮要素を全域に使用したもので構成されており、複数の最狭点を有する湾曲線４が、弛緩させた状態の外装体の側縁に形成された形態などが例示できる。
【００４２】
図２に示す実施形態のおむつ１Ａ及び図３に示す実施形態のおむつ１Ｂにおいては、外装体３の伸縮力を部位ごとに異ならせてもよい。こうすることによって、おむつ１Ａ，１Ｂの着用状態において、吸収体２３が着用者の身体における適正な位置に一層配置されやすくなる。
特に、外装体３のうち最短部５が存在する位置での該外装体３の横方向の伸長率をＳ１とし、また外装体３のうち凸形状をしている一対の輪郭線間の領域（図２及び図３中、符号３７で示される領域。）での該外装体３の伸長率をＳ２としたとき、Ｓ１とＳ２とを異ならせることが、おむつ１Ａ，１Ｂの着用状態において、吸収体２３が着用者の身体における適正な位置に一層配置されやすくなることから好ましい。この利点を一層顕著にする観点から、Ｓ１がＳ２よりも大きいことが好ましく、更に好ましくはＳ１／Ｓ２の値が１．２以上、特に１．３以上、とりわけ１．４以上であり、また１．８以下、特に１．７以下、とりわけ１．６以下である。具体的には、Ｓ１／Ｓ２の値は１．２以上１．８以下であることが好ましく、１．３以上１．７以下であることが更に好ましく、１．４以上１．６以下であることが一層好ましい。
【００４３】
伸長率Ｓ１及びＳ２はどちらも以下の方法で測定される。
まず、弛緩状態で幅方向に５０ｍｍの印をつける。次に、手で伸びきるところまで印を引き延ばし、その長さを測定する（A）。下記の式より、伸長率を算出する。
（伸長率）＝（A）ｍｍ／５０ｍｍ×１００（％）
【００４４】
伸長率Ｓ１及びＳ２の相対的な大小関係は上述のとおりであるところ、伸長率Ｓ１そのものの値は、おむつ１Ａ，１Ｂが下着様の外観を呈するようにする観点から、好ましくは１７０％以上、更に好ましくは１９０％以上、一層好ましくは２１０％以上であり、また好ましくは３００％以下、更に好ましくは２８０％以下、一層好ましくは２６０％以下であり、また好ましくは１７０％以上３００％以下、一層好ましくは１９０％以上２８０％以下、更に好ましくは２１０％以上２６０％以下である。
【００４５】
一方、伸長率Ｓ２そのものの値は、おむつ１Ａ，１Ｂの着用状態において着用者の臀部を外装体で十分に保持させる観点から、好ましくは１２０％以上、更に好ましくは１４０％以上、一層好ましくは１６０％以上であり、また好ましくは２４０％以下、更に好ましくは２２０％以下、一層好ましくは２００％以下であり、また好ましくは１２０％以上２４０％以下、一層好ましくは１４０％以上２２０％以下、更に好ましくは１６０％以上２００％以下である。
【００４６】
以上、本発明をその好ましい実施形態に基づき説明したが、本発明は前記実施形態のおむつ１Ａ，１Ｂに制限されず適宜変更可能である。例えばおむつ１Ａ，１Ｂでは、展開状態において、外装体３が腹側部Ｆ、股下部Ｍ及び背側部Ｒに亘って連続していたが、外装体３は、着用者の背側に配される背側外装体と腹側に配される腹側外装体とに分割されたものであってもよい。この場合、吸収性本体が、背側外装体と腹側外装体との間に架け渡して固定される。
【００４７】
図２に示すおむつ１Ａは外装体３を最大に伸長させた展開状態での説明であり、図３に示すおむつ１Ｂは外装体３を弛緩させた展開状態での説明であったところ、外装体３を最大に伸長させた展開状態にしたときでも、外装体３を弛緩させた展開状態にしたときでも、レッグ開口部ＬＨを画成する湾曲線４が、展開状態のおむつの縦方向Ｘに延びる中心線Ｌ１に向けて凸形状をしており、湾曲線４，４どうしの横方向Ｙの最短部５が、展開状態のおむつの横方向Ｙに延びる中心線Ｌ２よりも背側部Ｒ側に位置しており、背側部Ｒ側に位置する湾曲線４の少なくとも一部が、展開状態のおむつの横方向Ｙに延びる中心線Ｌ２に向けて凸形状をしていることが好ましい。このような構成を有していることで、おむつの着用の際に、ウエスト開口部ＷＨにおける腹側部Ｆ側の開口端と背側部Ｒ側の開口端との位置が一層ずれ難くなる。
【００４８】
また、本発明のパンツ型吸収性物品は、幼児又は成人用のパンツ型使い捨ておむつの他、パンツ型の生理用ナプキン等であってもよい。前述した本発明の実施形態に関し、更に以下の付記を開示する。
【００４９】
＜１＞
着用時に着用者の腹側に配される腹側部と着用者の背側に配される背側部とその間に位置する股下部とを有し、該腹側部から該股下部を介して該背側部に延びる縦方向と該縦方向に直交する横方向とを有し、該腹側部の両側部と該背側部の両側部とが接合されていることによって、一対のサイドシール部、ウエスト開口部及び一対のレッグ開口部が形成されているパンツ型吸収性物品であって、
前記サイドシール部に沿って前記吸収性物品を切り開き最大に伸長させた展開状態にしたとき、
前記レッグ開口部を画成する輪郭線が、前記展開状態の前記吸収性物品の縦方向に延びる中心線に向けて凸形状をしており、
前記輪郭線どうしの横方向における距離の最短部が、前記展開状態の前記吸収性物品の横方向に延びる中心線よりも前記背側部側に位置しており、
前記背側部側に位置する前記輪郭線の少なくとも一部が、前記展開状態の前記吸収性物品の横方向に延びる中心線に向けて凸形状をしている、パンツ型吸収性物品。
＜２＞
前記パンツ型吸収性物品は、液保持性の吸収体を有する吸収性本体と、該吸収性本体の非肌対向面側に配された外装体とを備え、
前記輪郭線が前記外装体のみから構成されており、
前記サイドシール部に沿って前記吸収性物品を切り開き最大に伸長させた展開状態にしたとき、
前記輪郭線どうしの間の最狭点が一か所であり、前記最短部が該最狭点どうしを結ぶ１本の線として描ける、前記＜１＞に記載のパンツ型吸収性物品。
＜３＞
前記パンツ型吸収性物品は、液保持性の吸収体を有する吸収性本体と、該吸収性本体の非肌対向面側に配された外装体とを備え、
前記輪郭線が前記外装体のみから構成されており、
前記サイドシール部に沿って前記吸収性物品を切り開き最大に伸長させた展開状態にしたとき、
前記輪郭線どうしの間の最狭点が複数カ所あり、前記最短部が該最狭点どうしを結ぶ複数本の線として描けるときには、複数本の線のうち、最も前記腹側部側の線と最も前記背側部側の線との間隔を二等分する位置が、横方向に延びる中心線よりも前記背側部側に位置している、前記＜１＞に記載のパンツ型吸収性物品。
＜４＞
前記パンツ型吸収性物品は、液保持性の吸収体を有する吸収性本体と、該吸収性本体の非肌対向面側に配された外装体とを備え、
前記サイドシール部に沿って前記吸収性物品を切り開き最大に伸長させた展開状態にしたとき、
前記輪郭線における縦方向に延びる中心線に最も近い部位が該中心線に平行に延びており、該部位どうしを結ぶ前記最短部が縦方向に一定の長さを有しているときには、該最短部の縦方向における長さの中心の位置が、横方向に延びる前記中心線よりも前記背側部側に位置している、前記＜１＞に記載のパンツ型吸収性物品。
＜５＞
前記輪郭線が前記外装体の側縁の一部と前記吸収性本体の側縁の一部とで形成されており、
前記最短部が縦方向に一定の長さを有している部位が、前記吸収性本体の側縁で形成されている、前記＜４＞に記載のパンツ型吸収性物品。
＜６＞
前記パンツ型吸収性物品は、液保持性の吸収体を有する吸収性本体と、該吸収性本体の非肌対向面側に配された外装体とを備え、
前記サイドシール部に沿って前記吸収性物品を切り開き最大に伸長させた展開状態にしたとき、
前記輪郭線は、横方向に延びる中心線に向けて凸形状となった凸状部位を前記外装体に有しており、
前記凸状部位は、前記外装体の前記背側部の縦方向に沿う側縁における横方向に延びる中心線側の下端から突出している、前記＜１＞〜＜５＞のいずれか１に記載のパンツ型吸収性物品。
＜７＞
前記外装体の前記背側部の側縁における前記下端と、前記最短部に対応する位置とを結ぶ仮想線を想定したときに、前記輪郭線のうち、該仮想線と前記凸状部位との交点と、該最短部に対応する位置とを結ぶ部位が、横方向に延びる中心線に向けて凹形状となっている、前記＜６＞に記載のパンツ型吸収性物品。
＜８＞
前記凸状部位が前記仮想線よりも突出している部分の面積は、前記パンツ型吸収性物品が幼児用のものであるときには、７００ｍｍ２以上、１２００ｍｍ２以下であることが好ましく、８００ｍｍ２以上、１１００ｍｍ２以下であることが更に好ましい、前記＜７＞に記載のパンツ型吸収性物品。
＜９＞
前記凸状部位が前記仮想線よりも突出している部分の面積は、前記パンツ型吸収性物品が成人用のものであるときには、３０００ｍｍ２以上、４５００ｍｍ２以下であることが好ましく、３５００ｍｍ２以上、４０００ｍｍ２以下であることが更に好ましい、前記＜７＞に記載のパンツ型吸収性物品。
＜１０＞
前記外装体の前記背側部の側縁における前記下端と前記交点とを結ぶ線分の長さｔ２に対する、前記最短部に対応する位置と該交点とを結ぶ線分の長さｔ１の割合である（ｔ１／ｔ２）×１００の値は、１０％以下であることが好ましく、５％以下であることが更に好ましい、前記＜７＞に記載のパンツ型吸収性物品。
【００５０】
＜１１＞
前記最短部と、前記展開状態の前記吸収性物品の横方向に延びる中心線との距離が、前記展開状態の前記吸収性物品の縦方向最大長さに対して１％以上１０％以下である、前記＜１＞〜＜１０＞のいずれか１に記載のパンツ型吸収性物品。
＜１２＞
前記最短部と前記横方向に延びる中心線との距離は、前記パンツ型吸収性物品が幼児用のものであるときには、４ｍｍ以上、６０ｍｍ以下であることが好ましく、１５ｍｍ以上、５０ｍｍ以下であることが更に好ましい、前記＜１１＞に記載のパンツ型吸収性物品。
＜１３＞
前記最短部と前記横方向に延びる中心線との距離は、前記パンツ型吸収性物品が成人用のものであるときには、５ｍｍ以上、８０ｍｍ以下であることが好ましく、１５ｍｍ以上、６０ｍｍ以下であることが更に好ましい、前記＜１１＞に記載のパンツ型吸収性物品。
＜１４＞
前記展開状態の前記吸収性物品の横方向に延びる中心線を基準として、前記輪郭線のうち、前記背側部側に位置する部位の長さＤ３よりも、前記腹側部側に位置する部位の長さＤ４の方が長い、前記＜１＞〜＜１３＞のいずれか１に記載のパンツ型吸収性物品。
＜１５＞
前記背側部側に位置する部位の長さＤ３に対する、前記腹側部側に位置する部位の長さＤ４の割合である（Ｄ４／Ｄ３）×１００の値は、１０１％以上、１３０％以下であることが好ましく、１１０％以上、１２０％以下であることが更に好ましい、前記＜１４＞に記載のパンツ型吸収性物品。
＜１６＞
液保持性の吸収体を有する吸収性本体と、該吸収性本体の非肌対向面側に配され且つ前記吸収性物品の外形を画成する外装体とを備え、
前記外装体は、横方向に伸縮性を有する部材で形成されており、
前記外装体のうち前記最短部が存在する位置での該外装体の横方向の伸長率をＳ１とし、
前記外装体のうち前記凸形状をしている一対の前記輪郭線間の領域での該外装体の伸長率をＳ２としたとき、
Ｓ１がＳ２よりも大きい、前記＜１＞〜＜１５＞のいずれか１に記載のパンツ型吸収性物品。
【００５１】
＜１７＞
液保持性の吸収体を有する吸収性本体と、該吸収性本体の非肌対向面側に配された外装体とを備え、
着用時に着用者の腹側に配される腹側部と着用者の背側に配される背側部とその間に位置する股下部とを有し、該腹側部から該股下部を介して該背側部に延びる縦方向と該縦方向に直交する横方向とを有し、該腹側部の両側部と該背側部の両側部とが接合されていることによって、一対のサイドシール部、ウエスト開口部及び一対のレッグ開口部が形成されているパンツ型吸収性物品であって、
前記外装体はその全域が横方向に伸縮性を有する部材で形成されており、
前記サイドシール部に沿って前記吸収性物品を切り開き前記外装体を弛緩させたまま展開状態にしたとき、
前記レッグ開口部を画成する輪郭線が、前記展開状態の前記吸収性物品の縦方向に延びる中心線に向けて凸形状をしており、
前記輪郭線どうしの横方向の最短部が、前記展開状態の前記吸収性物品の横方向に延びる中心線よりも前記背側部側に位置しており、
前記背側部側に位置する前記輪郭線の少なくとも一部が、前記展開状態の前記吸収性物品の横方向に延びる中心線に向けて凸形状をしている、パンツ型吸収性物品。
＜１８＞
前記パンツ型吸収性物品は、液保持性の吸収体を有する吸収性本体と、該吸収性本体の非肌対向面側に配された外装体とを備え、
前記輪郭線が前記外装体のみから構成されており、
前記サイドシール部に沿って前記吸収性物品を切り開き前記外装体を弛緩させたまま展開状態にしたとき、
前記輪郭線どうしの間の最狭点が一か所であり、前記最短部が該最狭点どうしを結ぶ１本の線として描ける、前記＜１７＞に記載のパンツ型吸収性物品。
＜１９＞
前記パンツ型吸収性物品は、液保持性の吸収体を有する吸収性本体と、該吸収性本体の非肌対向面側に配された外装体とを備え、
前記輪郭線が前記外装体のみから構成されており、
前記サイドシール部に沿って前記吸収性物品を切り開き前記外装体を弛緩させたまま展開状態にしたとき、
前記輪郭線どうしの間の最狭点が複数カ所あり、前記最短部が該最狭点どうしを結ぶ複数本の線として描けるときには、複数本の線のうち、最も前記腹側部側の線と最も前記背側部側の線との間隔を二等分する位置が、横方向に延びる中心線よりも前記背側部側に位置している、前記＜１７＞に記載のパンツ型吸収性物品。
＜２０＞
前記パンツ型吸収性物品は、液保持性の吸収体を有する吸収性本体と、該吸収性本体の非肌対向面側に配された外装体とを備え、
前記サイドシール部に沿って前記吸収性物品を切り開き前記外装体を弛緩させたまま展開状態にしたとき、
前記輪郭線における縦方向に延びる中心線に最も近い部位が該中心線に平行に延びており、該部位どうしを結ぶ前記最短部が縦方向に一定の長さを有しているときには、該最短部の縦方向における長さの中心の位置が、横方向に延びる前記中心線よりも前記背側部側に位置している、前記＜１７＞に記載のパンツ型吸収性物品。
＜２１＞
前記輪郭線が前記外装体の側縁の一部と前記吸収性本体の側縁の一部とで形成されており、
前記最短部が縦方向に一定の長さを有している部位が、前記吸収性本体の側縁で形成されている、前記＜２０＞に記載のパンツ型吸収性物品。
【００５２】
＜２２＞
前記パンツ型吸収性物品は、液保持性の吸収体を有する吸収性本体と、該吸収性本体の非肌対向面側に配された外装体とを備え、
前記サイドシール部に沿って前記吸収性物品を切り開き前記外装体を弛緩させたまま展開状態にしたとき、
前記輪郭線は、横方向に延びる中心線に向けて凸形状となった凸状部位を前記外装体に有しており、
前記凸状部位は、前記外装体の前記背側部の縦方向に沿う側縁における横方向に延びる中心線側の下端から突出している、前記＜１７＞〜＜２１＞のいずれか１に記載のパンツ型吸収性物品。
＜２３＞
前記外装体の前記背側部の側縁における前記下端と、前記最短部に対応する位置とを結ぶ仮想線を想定したときに、前記輪郭線のうち、該仮想線と前記凸状部位との交点と、該最短部に対応する位置とを結ぶ部位が、横方向に延びる中心線に向けて凹形状となっている、前記＜２２＞に記載のパンツ型吸収性物品。
＜２４＞
前記外装体は、前記吸収性物品の外形を画成しており、
前記外装体のうち前記最短部が存在する位置での該外装体の横方向の伸長率をＳ１とし、
前記外装体のうち前記凸形状をしている一対の前記輪郭線間の領域での該外装体の伸長率をＳ２としたとき、
Ｓ１がＳ２よりも大きい、前記＜１７＞に記載のパンツ型吸収性物品。
＜２５＞
前記パンツ型吸収性物品は、液保持性の吸収体を有する吸収性本体と、該吸収性本体の非肌対向面側に配された外装体とを備え、
前記外装体が、着用者の背側に配される背側外装体と腹側に配される腹側外装体とに分割された構成となっており、該背側外装体と該腹側外装体との間に前記吸収性本体が架け渡されて固定されている、前記＜１＞又は＜１７＞に記載のパンツ型吸収性物品。
＜２６＞
前記パンツ型吸収性物品は、液保持性の吸収体を有する吸収性本体と、該吸収性本体の非肌対向面側に配された外装体とを備え、
前記外装体における縦方向に沿う側縁は、前記股下部が前記腹側部及び前記背側部よりも縦方向に延びる中心線に向かって凸状に湾曲した形状となっており、前記吸収性本体が該外装体の中央部に配置され固定されている、前記＜１＞又は＜１７＞に記載のパンツ型吸収性物品。
【実施例】
【００５３】
以下、実施例により本発明を更に詳細に説明する。しかしながら本発明の範囲は、かかる実施例に制限されない。
〔実施例１〕
特開２００８−１７９１２８号公報に記載の伸縮性シートを外装体として用いた。同公報に記載の伸縮性シート１０における弾性フィラメント１３の延びる方向を使い捨ておむつの横方向に一致させ、伸縮性シートを設計寸法となるまで拡げ、図４（ａ）に示す形状にカットした。花王株式会社製の使い捨ておむつである「リリーフ（登録商標）  超うす型まるで下着  Ｍ〜Ｌサイズ」の外装体に代えて、上述の外装体を用いパンツ型使い捨ておむつの前駆体を得た。この前駆体は成人用のものである。この前駆体において最短部は背側部側に存在する。最短部と横方向Ｙに延びる中心線との距離Ｄ１、縦方向Ｘ最大長さＤ２、及び最大長さＤ２に対する距離Ｄ１の割合、及び湾曲線４のうち、中心線Ｌ２を基準として、背側部Ｒ側に位置する部位４Ｒの長さＤ３と腹側部Ｆ側に位置する部位４Ｆの長さＤ４との長さの関係を測定し、その結果を表１に示した。
図２及び図３における最短部５での外装体３の伸長率は２４０％であり、符号３７で示される領域での外装体３の伸長率は１７０％であった。
【００５４】
〔実施例２及び３〕
伸縮性シートを図４（ｂ）及び（ｃ）に示す形状にそれぞれカットした。最短部と横方向Ｙに延びる中心線との距離Ｄ１、縦方向Ｘ最大長さＤ２、最大長さＤ２に対する距離Ｄ１の割合を、表１に示す値にした以外は実施例１と同様にして使い捨ておむつの前駆体を作製した。また長さＤ３と長さＤ４との長さの関係を測定し、その結果を表１に示した。
実施例２では図２及び図３における最短部５での外装体３の伸長率は２４０％であり、符号３７で示される領域での外装体３の伸長率は１７０％であった。
実施例３では図２及び図３における最短部５での外装体３の伸長率は２４０％であり、符号３７で示される領域での外装体３の伸長率は１７０％であった。
【００５５】
〔比較例１〕
伸縮性シートを図４（ｄ）に示す形状にそれぞれカットした。実施例１と同様にして使い捨ておむつの前駆体を作製した。この前駆体において最短部は腹側部側に存在した。最短部と横方向Ｙに延びる中心線との距離Ｄ１、縦方向Ｘ最大長さＤ２、最大長さＤ２に対する距離Ｄ１の割合、及び長さＤ３と長さＤ４との長さの関係を測定し、その結果を表１に示した。
【００５６】
〔評価〕
実施例１、２及び３、並びに比較例１の前駆体それぞれについて、両側部を接合してパンツ型使い捨ておむつを得た。このおむつを図５に示すように下半身人体モデル１０に着用させた。下半身人体モデル１０に各おむつを着用させる際には、先ず正しい位置におむつを着用し、ウエスト開口部の開口端において、腹側部における横方向の中央に位置する腹側位置Ｐ４とサイドシール部の二か所との合計三か所に印をつけておく。正しい位置におむつを着用するとは、おむつを着用したときのウエスト開口部の開口端において、腹側位置Ｐ４の高さと、背側部における横方向の中央に位置する背側位置の高さとが揃っている状態である。次いで着用した状態のおむつから、下半身人体モデル１０の下肢をおむつの一対のレッグ開口部に通した状態となるまでおむつを下ろす。一端部にクリップ（コクヨ（株）製ダブルクリップ）を取り付けた１５０ｃｍ以上の紐を２本用意する。そしておむつの一対のサイドシール部におけるウエスト開口部側の端部それぞれにクリップを介して紐を取り付ける。２本の紐の他端部を引張試験機〔（株）オリエンテック社製、テンシロン万能材料試験機〕のチャックに固定し、引き上げ速度１０００ｍｍ／ｍｉｎで紐を引っ張り、おむつを垂直に引き上げることにより、下半身人体モデル１０におむつを一気に履かせ、再着用させる。再着用させる際は引張試験機によっておむつを垂直に引き上げることで、おむつの腹側部及び背側部それぞれにかかる力に偏りが生じない。おむつの引き上げは、おむつのサイドシール部におけるウエスト開口部側の端部の位置が、最初に印をつけたサイドシール部の二か所の位置に到達するまで行う。なお、一気に履かせている途中でウエスト開口部に折れや捲れが生じたときには、履かせた後にその部分を直して再着用の状態とする。以上の手順で、下半身人体モデル１０におむつを着用させる。おむつを着用したモデル１０を正面視して、最初に印をつけた正しい着用状態での腹側位置Ｐ４と、再着用後のウエスト開口部における腹側部の横方向の中央に位置する開口端の位置Ｐ５との距離Ｄ５を測定し、その結果をウエスト位置ずれ量として表１に示した。ウエスト位置ずれ量が０に近い程、高評価となる。
【００５７】
【表１】
0006901613.tif 000002
【００５８】
表１に示す結果から明らかなとおり、実施例１ないし３で得られたおむつは、比較例１で得られたおむつに比べて、着用の際にウエスト開口部における腹側部の開口端と背側部の開口端との位置がずれ難く、おむつの漏れ防止効果が期待できる。
【符号の説明】
【００５９】
１Ａ，１Ｂ  パンツ型使い捨ておむつ（パンツ型吸収性物品）
Ｆ  腹側部
Ｍ  股下部
Ｒ  背側部
２  吸収性本体
２１  表面シート
２３  吸収体
２４  防漏カフ
２５  防漏カフ形成用の弾性部材
３  外装体
３１  外層シート
３２  内層シート
３３，３４，３５  弾性部材
４  湾曲線（輪郭線）
４１  凸状部位
５  最短部
Ｌ１  縦方向に延びる中心線
Ｌ２  横方向に延びる中心線
Ｘ  縦方向
Ｙ  横方向
【図１】
0006901613.tif 000003
【図２】
0006901613.tif 000004
【図３】
0006901613.tif 000005
【図４】
0006901613.tif 000006
【図５】
0006901613.tif 000007